(57)【要約】【課題】従来のメインカメラ（第一のカメラ）とインカメラ（第二のカメラ）を備え、両カメラの撮影を同時に撮影する撮像装置において、メインカメラとインカメラのフォーカス調整を同時に行うと、所望の構図で撮影することが困難であったため、メインカメラとインカメラのそれぞれのフォーカス調整を撮影者が容易に行える構成を提供することを目的とする。【解決手段】装置本体の第一の方向を向いた第一のカメラと、第二の方向を向いた第二のカメラと、前記第一のカメラの合焦を調節する第一の合焦調節装置と、前記第二のカメラの合焦を調節する第二の合焦調節装置を有し、前記第一あるいは前記第二のいずれか一方の合焦調節装置で合焦を行った後にもう一方の合焦調節装置で合焦を行うことを特徴とする。【選択図】図３
2017083493.tif 000002
【特許請求の範囲】
【請求項１】
装置本体の第一の方向を向いた第一の撮像手段（２１）と
第二の方向を向いた第二の撮像手段（２２）と
前記第一の撮像手段（２１）の焦点を調節する第一の焦点調節装置と
前記第二の撮像手段（２２）の焦点を調節する第二の焦点調節装置を有し、
前記第一あるいは前記第二のいずれか一方の焦点調節装置で合焦を行った後に
もう一方の焦点調節装置で合焦を行うことを特徴とする撮像装置。
【請求項２】
前記第一あるいは前記第二のいずれか一方の焦点調節装置で合焦を行った後に
もう一方の焦点装置で合焦を開始するまでの時間を変更する変更手段を有する事を
特徴とする請求項１に記載の撮像装置。
【請求項３】
表示エリアを持つ表示部（１５）を備え、
前記表示エリア（１５）と前記第二の撮像手段（２２）は
同一方向に向いていることを特徴とする
請求項１または請求項２に記載の撮像装置。
【請求項４】
装置本体の第一の方向を向いた第一の撮像手段（２１）と
第二の方向を向いた第二の撮像手段（２２）と
前記第一の撮像手段（２１）の焦点を調節する第一の焦点調節装置と
前記第二の撮像手段（２２）の焦点を調節する第二の焦点調節装置を
備えた撮像装置において、
第一の焦点調節を行った後、第二の焦点調節を開始することを判断する
切り替え検知手段を備えることを特徴とする撮像装置。
【請求項５】
前記切り替え検知手段は、
前記撮像装置が動いているか否かを検知する加速度センサであり、
前記加速度センサによる検出値が所定値以下と判断すると、
前記第二の撮像手段（２２）の焦点調整を行うことを特徴とする
請求項４に記載の撮像装置。
【発明の詳細な説明】
【技術分野】
【０００１】
本発明は、複数のカメラを備えた、例えばデジタルカメラ等の電子機器における、オートフォーカスに関する。
【背景技術】
【０００２】
従来のカメラ搭載小型電子機器では、撮影者が所望の被写体に対して向けて撮影するメインカメラを搭載しているが、近年ではカメラが撮影者に向けられており、撮影者を撮影するインカメラを搭載しているものがある。このような２つのカメラを搭載していると、撮影者が撮影したい第一の被写体をメインカメラでのみ撮影して記録したり、撮影者側にある被写体（撮影者含む）をインカメラのみで撮影する場合がある。またその他に、前記第一の被写体をメインカメラで撮影し、その時の撮影者の表情等を記録するためにインカメラで同時に撮影者自身を撮影して記録する機能を有するものもある。
【０００３】
メインカメラとインカメラで同時に撮影する場合は、メインカメラ側で撮影する被写体に対してのフォーカス調整とインカメラ側で撮影する主に撮影者のフォーカス調整を行う必要がある。近年ではデジタルカメラや携帯電話の撮影品質が向上し、また、出力機器の品質も向上している。故に、フォーカスによりピントをあわせた範囲が所望範囲から逸脱していると記録される画像の品位が損なわれるため、主となる被写体の所望の範囲にフォーカス調整を行うことが望まれている。メインカメラ側のフォーカス調整は電子機器に搭載されているＬＣＤにより、メインカメラで映し出されているＥＶＦ画像を確認して被写体の所望の範囲を電子機器の測距ポイント内に指定し、撮影者が２段階のレリーズスイッチを一段押しして電子機器に搭載されているオートフォーカス機構により行う。
【０００４】
しかしながら、メインカメラとインカメラで同時に撮影する場合は、メインカメラのフォーカス調整を行うタイミングとインカメラでのフォーカスを行うタイミングを同時に行うと、メインカメラのフォーカス調整と構図設定をＬＣＤで確認しながらインカメラのフォーカス調整と構図設定を行うため、品位の保った写真を作成するのが非常に困難になる。例えば、メインカメラで第一の被写体にピントが合うように、カメラに指定された測距範囲に被写体を合わせ、レリーズスイッチを一段押ししてピントを合わせる。その後、狙った構図になるように、カメラを移動させて構図を決める。
【０００５】
この時に、インカメラでは、撮影者が映し出されているが、レリーズを一段押ししてメインカメラのフォーカス調整を行った時にインカメラのフォーカス調整を行って、撮影者にピントを合わせてしまうと、その後の構図を決めるためにカメラを移動させた時に撮影者の位置も移動されてしまうために、メインカメラのピントは合わせたままでもインカメラのピントはずれてしまうという問題が発生する。
【０００６】
メインカメラで撮影者がピントを合わせる位置を所望の位置に決定する例としては、特許文献１で知られているように、撮影者がＬＣＤに映し出されたメインカメラのＥＶＦ画像を見て、ピントを合わせたい被写体に視線を向けることによって、メインカメラのＡＦ機構がその被写体にフォーカス調整を行い、ピントを合わすものがある。これは、撮影者がＬＣＤパネルに表示されるメインカメラのＥＶＦ画像を確認しながらメインカメラで撮影を行う際に、赤外線発光部から撮影者の顔に向けて赤外光を照射し、撮影者の顔によって反射された赤外光をサブカメラで撮影して、ＬＣＤパネルに対する撮影者の目の向き、すなわち視線位置を検出し、その視線位置にある被写体にピントが合うようにメインカメラのフォーカス調整を行う。
【０００７】
これにより、装置本体を動かさないで初めから構図を決定した状態で、任意の位置にピントを合わせる範囲を決定することが可能である。しかしながら、インカメラを搭載した装置で同時に撮影を行う場合は、ＬＣＤパネル内にメインカメラとインカメラのＥＶＦ画像を同時に表示させることとなり、視線を両方のＥＶＦ画像に向けてピントを合わせる位置を指示することは困難になる。
【先行技術文献】
【特許文献】
【０００８】
【特許文献１】特開２００８−３２８２８号公報
【発明の概要】
【発明が解決しようとする課題】
【０００９】
上述するように、構図とピントを合わせる範囲を撮影者の所望通りに撮影しようとした場合において、メインカメラのみでなく、インカメラを併用して撮影を行った場合、メインカメラとインカメラの構図とピントを撮影者の所望通りに両立させて撮影することは困難である。
【課題を解決するための手段】
【００１０】
上記の目的を達成するために、本発明に係る撮像装置は、
装置本体の第一の方向を向いた第一のカメラと、前記装置本体の第二の方向を向いた第二のカメラと、前記第二のカメラと同じ方向に表示エリアをもつ表示部と、同一方向に二段階検出可能であり、一段階押圧すると前記第一のカメラのフォーカス調整を行い、二段階押圧すると前記第一のカメラと第二のカメラの画像を記録するレリーズスイッチを備えた撮像装置において、前記レリーズスイッチを一段階押圧して、所定の時間が経過すると第二のカメラのフォーカス調整を行うことを特徴とする。
【発明の効果】
【００１１】
本発明に係る撮像装置によれば、メインカメラとインカメラで同時に撮影を行い、画像データを取り込む構成としても、メインカメラとインカメラで狙った被写体にピントを合わせることが可能となり、ユーザの操作性が向上することが可能となる。
【図面の簡単な説明】
【００１２】
【図１】デジタルカメラを正面から見た外観斜視図
【図２】撮影時ＬＣＤ表示図
【図３】第一実施形態フローチャート
【図４（ａ）】主被写体選択時表示図
【図４（ｂ）】メインカメラ構図決定時表示図
【図４（ｃ）】構図決定時表示図
【図５】第二実施形態フローチャート
【発明を実施するための形態】
【００１３】
以下に、本発明の好ましい実施形態を添付の図面に基づいて詳細に説明する。
【００１４】
［実施例］
＜第一実施形態＞
以下、本発明の実施形態の一例を、図面を参照して説明する。図１は、本発明の電子機器の実施形態の一例であるデジタルカメラを正面から見た外観斜視図である。
【００１５】
図１に示すように、本実施形態のデジタルカメラ１は、主に外装部材１１に覆われて形成されており、上面には操作系として、レリーズスイッチ１２とズームレバー１３、そして電源スイッチ１４が配置されている。レリーズスイッチ１２は２段スイッチとなっており、一段押しでデジタルカメラ１に搭載されたオートフォーカス機構（以下AF機構）によりフォーカス調整をおこない、さらに押し込む２段階押しでシャッター動作を行う。
【００１６】
ズームレバー１３は後述するメインカメラ２１やインカメラ２２のズームイン、ズームアウトの動作をおこなうレバースイッチである。デジタルカメラ１の起動ON,OFFは電源スイッチ１４を押圧して操作を行う。
【００１７】
デジタルカメラ１の前面側にはメインカメラ２１が配置されている。メインカメラ２１は撮像センサやレンズ（不図示）を搭載したカメラユニットで、後述する撮影モードで使用するカメラある。電源スイッチ１４や、レリーズスイッチ１２を操作することで、メインカメラ２１が突出して撮影が可能になる。デジタルカメラ１の背面側にはインカメラ２２とＬＣＤパネル１５、そして操作ボタン１６が配置されている。インカメラ２２はメインカメラ２１同様に撮像センサやレンズ（不図示）を搭載したカメラユニットで、メインカメラ２１同様に、後述する撮影モードで使用するカメラである。
【００１８】
本実施形態はメインカメラ２１がズームイン・ズームアウト・電源オンオフにより突出量が変化するカメラユニットとなっており、インカメラ２２はレンズとセンサを一体化して、小型カメラモジュールとしているが、この限りでなく、メインカメラ２１やインカメラ２２が、小型カメラモジュール、カメラユニットでも良い。
【００１９】
ＬＣＤパネル１５はメインカメラ２１やインカメラ２２で撮影しているデータ（ＥＶＦ画像）の画像表示を行い、デジタルカメラ１に装着したメディアカード（不図示）に記録したデータ等を表示する。ＬＣＤパネル１５はバックライトを搭載した液晶パネルや有機EL等が好ましい。操作ボタン１６は撮影モードや再生モードの切り替えや、ＬＣＤパネル１５に表示された画像データの選択を行い、撮影時のパラメータ設定等を操作するときに押圧して使用する。撮影モードはメインカメラ２１とインカメラ２２を使用してＬＣＤパネル１５にＥＶＦ画像を表示させ、レリーズスイッチ１２の操作により画像データを取り込んでメディアカードに記録するモードであり、再生モードはメディアカードに記録した画像データを読み込んでＬＣＤパネル１５に表示させて閲覧するモードである。
【００２０】
図２はデジタルカメラ１を使用して撮影する時のＬＣＤパネル１５に表示している状態を示す撮影時ＬＣＤ表示図である。
【００２１】
撮影モードにて、撮影者がデジタルカメラ１を持ち、メインカメラを被写体に向けて、メインカメラ、インカメラ共の構図を決定し、フォーカス調整を行った時のＬＣＤパネル１５に表示された様子である。図２で示すようにＬＣＤパネル１５には、メインカメラＥＶＦ画像３１とインカメラＥＶＦ画像３２が表示されている。メインカメラＥＶＦ画像３１はデジタルカメラ１の前面側に配置されているメインカメラ２１で撮影しているデータが表示されている。
【００２２】
インカメラＥＶＦ画像３２はデジタルカメラ１の背面側に配置され、撮影者に向けられているインカメラ２２で撮影しているデータを表示している。撮影者は撮影する時に、ＬＣＤパネル１５に表示されたメインカメラＥＶＦ画像３１とインカメラＥＶＦ画像３２を目視しながら所望の構図を決めて、レリーズスイッチ１２を押圧し撮影する。
【００２３】
ＬＣＤパネル１５にはメインカメラフォーカス範囲４１が表示されており、メインカメラ２１でフォーカス調整を行う時にピントを合わせたい範囲をこの枠内に収めてフォーカス調整を行うとこの範囲内にピントが合う。本実施形態ではメインカメラフォーカス範囲４１をＬＣＤパネル１５の中央に配置しているが、この限りでなく、ＬＣＤパネル１５内に認識された例えば顔認識制御により被写体の人物に対して任意に認識を行ってフォーカス調整を行ったり、ＬＣＤパネル１５の画角内であればメインカメラフォーカス範囲４１をどこに設定しても良い。デジタルカメラ１内には不図示の加速度センサを備えており、デジタルカメラ１の移動を検知することが可能である。
【００２４】
次に本発明における、撮影モードにおいての第一実施形態における動作を図３の第一実施形態フローチャートと図４の撮影動作時ＬＣＤ表示図を用いて説明する。
【００２５】
図３は撮影モードにおける電源が起動されてからの撮影動作を示す第一実施形態フローチャートで、図４は第一実施形態における撮影動作の表示図である。図４（ａ）は主被写体選択時表示図で、図４（ｂ）はメインカメラ構図決定時表示図、そして図４（ｃ）は構図決定表示図である。
【００２６】
デジタルカメラ１の電源１４を押圧すると電源ON状態になる（ステップＳ１１１）。撮影者はカメラを用いて被写体を撮影する撮影モードか、デジタルカメラ１に装着したメディアカード（不図示）内に記録された画像を閲覧する再生モード（ステップＳ１３０）を使用するか操作ボタン１６を操作して選択する（ステップＳ１１２）。
【００２７】
撮影モードになると、図４（ａ）の主被写体選択時表示図に示すようにメインカメラ２１で撮影したデータをメインカメラＥＶＦ画像３１としてＬＣＤパネル１５に表示される（ステップＳ１１３）。同じく、インカメラ２２で撮影したデータもインカメラＥＶＦ画像３２としてＬＣＤパネル１５に表示される（ステップＳ１１４）。撮影者はＬＣＤパネル１５に表示されたメインカメラＥＶＦ画像３１を閲覧しながら図４（ａ）に示すように、撮影したい被写体のピントを合わせたい範囲をメインカメラフォーカス範囲４１内に合わせる。
【００２８】
そのまま、レリーズスイッチ１２を一段階押圧することで（ステップＳ１１５）メインカメラフォーカス範囲４１内に測光を行い（ステップＳ１１６）適正露出を決定し、同時にメインカメラフォーカス範囲４１内に表示された被写体にＡＦ機構によるＡＦ制御によりフォーカス調整を行い、ピントを合わせる（ステップＳ１１７）。レリーズスイッチ１２を一段階押圧するまでは、ステップＳ１１３とステップＳ１１４のＥＶＦ画像表示を続けている。
【００２９】
この時、被写体に対してのフォーカス調整が正しく行われているかどうかを判別する（ステップＳ１１８）。これは、デジタルカメラ１の撮影可能な距離以下の接写を行った場合や被写体が暗く認識しなかった時は、ピントエラーとして判断し、再度ＬＣＤパネル１５内にエラー表示を行い、エラー状態のままステップＳ１１３に戻りＥＶＦ画像表示となる。ステップＳ１１７のＡＦ制御時に被写体に対してピント調整が正常に作動したと認識した時はピントエラー無と判断し、次の動作に移行する。
【００３０】
ステップＳ１１８により、ピントエラー無と判断された後、調整されたピントを保った状態でそのままＬＣＤパネル１５にメインカメラＥＶＦ画像３１とインカメラＥＶＦ画像３２を表示し続ける（ステップＳ１１９、ステップＳ１２０）。
【００３１】
そして次に、後述するインカメラ２２のフォーカス調整を行うまでの時間を示すカウントが開始される（ステップＳ１２１）。カウント表示は例えばＬＣＤパネル１５の一部に数字で表示されて撮影者が認識できるように表示したり、識別マーク表示させて点滅させ、点滅のスピードを変化させて設定カウント数が近づくことを認識可能なようにしてもよい。ステップＳ１２１にてカウントが開始されたのち、フォーカス調整を保ったまま、ＬＣＤパネル１５に表示されたメインカメラＥＶＦ画像３１を閲覧しながら構図を決定する。
【００３２】
本実施形態ではＬＣＤパネル１５の中央に表示されたメインカメラフォーカス範囲４１で主たる被写体にフォーカス調整を行い、その後、構図の中央以外に主たる被写体を配置する画像を作成するため、デジタルカメラ１本体を移動させて、図４（ｂ）のメインカメラ構図決定時表示図に示すように、メインカメラＥＶＦ画像の図中右側に主たる被写体を配置している。ステップＳ１１７で被写体にフォーカス調整を合わせてからメインカメラＥＶＦ画像３１を確認しながらデジタルカメラ１を移動させるため、この時点でインカメラ２２の中央に撮影者の顔を配置し、インカメラＥＶＦ画像３２内に、配置させるのは困難である。
【００３３】
ステップＳ１２１におけるカウントは撮影者があらかじめ任意に設定が可能であり、設定したカウント数（秒数）の間にメインカメラＥＶＦ画像３１を確認しながら構図を決定する。メインカメラ側の構図が決定した後、撮影者はインカメラＥＶＦ画像３２で表示された自身の顔がインカメラＥＶＦ画像３２の所望の位置に配置されるように移動し、インカメラ側の構図決定を行う。ステップＳ１２１で行われているカウント内にメインカメラ側の構図決定とインカメラ側の構図決定を行うので、あらかじめ余裕をもったカウント数に設定しておくことが好ましい。
【００３４】
メインカメラのフォーカス調整とメインカメラの構図決定、そしてインカメラの構図決定を別々に行うことが可能であるため、容易にメインカメラとインカメラの構図を所望通りに行うことが可能である。
【００３５】
ステップＳ１２１でカウントが行われた後にインカメラ２２の測光が行われる（ステップＳ１２２）。その後インカメラ２２の被写体（撮影者）に対してＡＦ制御が行われ、インカメラ側の被写体に対してフォーカス調整が行われ、ピントを合わせる（ステップＳ１２３）。
【００３６】
その後ＬＣＤパネル１５に表示されているメインカメラＥＶＦ画像３１（ステップＳ１２４）とインカメラＥＶＦ画像３２（ステップ１２５）により、図４（ｃ）の構図決定時表示図に示すように、ＬＣＤパネル１５に表示されているメインカメラＥＶＦ画像３１とインカメラＥＶＦ画像３２が所望の構図になっていることを確認した後、レリーズスイッチ１２をさらに押圧し２段階目のスイッチを作動させて（ステップＳ１２６）撮影を行い、画像データを記録する。レリーズスイッチ１２が２段階目まで押されるまではステップＳ１２４とステップＳ１２５のＥＶＦ画像を表示し続ける。
【００３７】
＜第二実施形態＞
次に本発明における第二実施形態を図５の撮影モードにおける電源が起動されてからの撮影動作を示す第二実施形態のフローチャートを用いて説明する。
【００３８】
第二実施形態においては、デジタルカメラ１に加速度センサを搭載し、加速度センサを用いてインカメラ２２のAF制御するタイミングを決定する場合について説明する。なお、デジタルカメラ１の構成や、撮影時の動作は第一実施形態で説明した図１、２、および図４を用いて説明する。
【００３９】
本発明における、撮影モードにおいての第一本実施形態における動作を図３のフローチャートと図４の撮影時表示図を用いて説明する。図３は撮影モードにおける電源が起動されてからの撮影動作を示す第一実施形態フローチャートで、図４は第一の実施形態における撮影動作の表示図である。
【００４０】
デジタルカメラ１の電源１４を押圧すると電源ON状態になる（ステップＳ２１１）。撮影者はカメラを用いて被写体を撮影する撮影モードか、デジタルカメラ１に装着したメディアカード（不図示）内に記録された画像を閲覧する再生モード（ステップＳ２３０）を使用するか操作ボタン１６を操作して選択する（ステップＳ２１２）。
【００４１】
撮影モードになると、図４（ａ）のようにメインカメラ２１で撮影したデータをメインカメラＥＶＦ画像３１としてＬＣＤパネル１５に表示される（ステップＳ２１３）。同じく、インカメラ２２で撮影したデータもインカメラＥＶＦ画像３２としてＬＣＤパネル１５に表示される（ステップＳ２１４）。撮影者はＬＣＤパネル１５に表示されたメインカメラＥＶＦ画像３１を閲覧しながら図３（ａ）に示すように、撮影したい被写体のピントを合わせたい範囲をメインカメラフォーカス範囲４１内に合わせる。
【００４２】
そのまま、レリーズスイッチ１２を一段階押圧すると（ステップＳ２１５）、デジタルカメラ１内に備えられている不図示の加速度センサが作動する（ステップＳ２１６）。レリーズスイッチ１２を一段階押圧するまでは、ステップＳ２１３とステップＳ２１４のＥＶＦ画像表示を続けている。加速度センサはデジタルカメラ１が動いているかどうかを検知している。メインカメラフォーカス範囲４１内に測光を行い（ステップＳ２１７）適正露出を決定し、同時にメインカメラフォーカス範囲４１内に表示された被写体にＡＦ制御によりフォーカス調整を行い、ピントを合わせる（ステップＳ２１８）。この時、被写体に対してのフォーカス調整が正しく行われているかどうかを判別する（ステップＳ２１９）。
【００４３】
デジタルカメラ１の撮影可能な距離以下の接写を行った場合や被写体が暗く認識しなかった時は、ピントエラーとして判断し、再度ＬＣＤパネル１５内にエラー表示を行い、ステップＳ２１３に戻り、ＥＶＦ画像を表示する。ステップＳ２１８のＡＦ制御時に被写体に対してピント調整が正常に作動したと認識した時はピントエラー無と判断し、次の動作に移行する。
【００４４】
ステップＳ２１９により、ピントエラー無と判断された後、調整されたピントを保った状態でそのままＬＣＤパネル１５にメインカメラＥＶＦ画像３１とインカメラＥＶＦ画像３２を表示し続ける（ステップＳ２２０、ステップＳ２２１）。撮影者は、ＬＣＤパネル１５に表示されたメインカメラＥＶＦ画像３１を閲覧しながら構図を決定する。本実施形態ではＬＣＤパネル１５の中央に表示されたメインカメラフォーカス範囲４１で主たる被写体にフォーカス調整を行い、その後、構図の中央以外に主たる被写体を配置ＥＶＦ画像を作成するため、デジタルカメラ１本体を移動させて、図４（ｂ）に示すように、メインカメラＥＶＦ画像の図中右側に主たる被写体を配置している。
【００４５】
第一実施形態と同様に被写体にフォーカス範囲を合わせてメインカメラＥＶＦ画像３１を確認しながらデジタルカメラ１を移動させるため、この時点でインカメラ２２の中央に撮影者の顔を配置し、インカメラＥＶＦ画像３２内に、配置させるのは困難である。本実施例の第二実施形態では撮影者がメインカメラの構図決定が終了した後、そのまま、インカメラ２２で撮影している撮影者の位置をインカメラＥＶＦ画像３２で閲覧しながら撮影者側の構図を合わせる。ステップＳ２１６以降加速度センサが起動しており、デジタルカメラ１が撮影者により動かされているとそれを検知している。
【００４６】
メインカメラの構図を決定し、撮影者の好みのタイミングでインカメラ側の構図を決定する。構図を合わせている間は、デジタルカメラ１を動かしながら被写体を所望の位置に配置している。この間も加速度センサは作動しており、デジタルカメラ１の移動量が所定の数値以上で検知しており、つまりは動いていることを検知している。撮影者がインカメラＥＶＦ画像３２を閲覧しながら構図を決定すると、撮影者はデジタルカメラ１をその状態に保持して待機する。撮影者がデジタルカメラ１を保持して待機すると、デジタルカメラ１の動きは略停止し、加速度センサはデジタルカメラ１の移動量（変位量）が所定の数値以下になったことを検知する（ステップＳ２２２）。
【００４７】
デジタルカメラ１は動きが止まったことを検知すると、インカメラ２２の測光が行われる（ステップＳ２２３）。その後インカメラ２２の被写体（撮影者）に対してＡＦ制御が行われ、インカメラ側の被写体に対してフォーカス調整が行われ、ピントを合わせる（ステップＳ２２４）。
【００４８】
そしてＬＣＤパネル１５に表示されているメインカメラＥＶＦ画像３１（ステップＳ２２５）とインカメラＥＶＦ画像３２（ステップＳ２２６）により図４（ｃ）に示すように、ＬＣＤパネル１５に表示されているメインカメラＥＶＦ画像３１とインカメラＥＶＦ画像３２が所望の構図になっていることを確認した後、レリーズスイッチ１２をさらに押圧し２段階目のスイッチを作動させて（ステップＳ２２７）撮影を行い、画像データを記録する。レリーズスイッチ１２が２段階目まで押されるまではステップＳ２２５とステップＳ２２６のＥＶＦ画像を表示し続ける。
【００４９】
本実施形態においては、メインカメラとインカメラとして２つのカメラを設定しているが、この限りでなく、インカメラが撮影者に向いている必要はなく、メインカメラの方向と異なった方向に向いたメインカメラとは別のサブカメラ（第二のカメラ）であればよい。
【符号の説明】
【００５０】
１  デジタルカメラ、１２  レリーズスイッチ、１５  ＬＣＤパネル、
２１  メインカメラ、２２  インカメラ、３１  メインカメラＥＶＦ画像、
３２  インカメラＥＶＦ画像、４１  メインカメラフォーカス範囲
【図１】
2017083493.tif 000003
【図２】
2017083493.tif 000004
【図３】
2017083493.tif 000005
【図４（ａ）】
2017083493.tif 000006
【図４（ｂ）】
2017083493.tif 000007
【図４（ｃ）】
2017083493.tif 000008
【図５】
2017083493.tif 000009